(57)【特許請求の範囲】
【請求項１】
各セルにおいて所定情報を用いて通信を行うように構成されている移動局であって、
受信したハンドオーバ情報に応じて第１セルから第２セルにハンドオーバした後に、該第２セルにおける報知情報を受信するように構成されている受信部と、
前記第２セルにおいて、受信した前記報知情報に含まれる前記所定情報を用いて通信を継続するように構成されている制御部とを具備し、
前記制御部は、前記受信部によって前記報知情報の少なくとも一部の受信に失敗した場合に、前記ハンドオーバ情報から前記所定情報を取得し、前記第２セルにおいて、取得した該所定情報を用いて通信を継続するように構成されていることを特徴とする移動局。
【請求項２】
前記制御部は、前記受信部によって前記報知情報の少なくとも一部の受信に失敗した場合で、かつ、前記ハンドオーバ情報からの前記所定情報の取得に失敗した場合に、前記第２セルにおいて、前記第１セルにおいて使用していた前記所定情報を用いて通信を継続するように構成されていることを特徴とする請求項１に記載の移動局。
【請求項３】
前記制御部は、前記受信部によって前記報知情報の少なくとも一部の受信に失敗した場合で、かつ、前記ハンドオーバ情報からの前記所定情報の取得に失敗した場合に、前記第２セルにおいて、予め決められている前記所定情報を用いて通信を継続するように構成されていることを特徴とする請求項１に記載の移動局。
【請求項４】
前記制御部は、前記所定情報に基づいて、前記受信部による前記報知情報の受信周期を決定するように構成されていることを特徴とする請求項１に記載の移動局。
【請求項５】
前記制御部は、前記所定情報に基づいて、前記受信部に対して、緊急用ページング信号を受信させるように構成されていることを特徴とする請求項１に記載の移動局。
【請求項６】
前記制御部は、前記所定情報に基づいて、タイマの設定値を決定するように構成されていることを特徴とする請求項１に記載の移動局。
【請求項７】
前記所定情報は、前記第２セルに係るネットワークＩＤと位置登録エリアＩＤとセルＩＤとを含むように構成されていることを特徴とする請求項１に記載の移動局。
【請求項８】
移動局が、各セルにおいて所定情報を用いて通信を行う移動通信方法であって、
前記移動局が、受信したハンドオーバ情報に応じて第１セルから第２セルにハンドオーバした後に、該第２セルにおける報知情報を受信する工程Ａと、
前記移動局が、前記第２セルにおいて、受信した前記報知情報に含まれる前記所定情報を用いて通信を継続する工程Ｂと、
前記移動局が、前記報知情報の少なくとも一部の受信に失敗した場合に、前記ハンドオーバ情報から前記所定情報を取得し、前記第２セルにおいて、取得した該所定情報を用いて通信を継続する工程Ｃとを有することを特徴とする移動通信方法。 
【請求項９】
前記工程Ｃにおいて、前記移動局は、前記報知情報の少なくとも一部の受信に失敗した場合で、かつ、前記ハンドオーバ情報からの前記所定情報の取得に失敗した場合に、前記第２セルにおいて、前記第１セルにおいて使用していた前記所定情報を用いて通信を継続することを特徴とする請求項８に記載の移動通信方法。
【請求項１０】
前記工程Ｃにおいて、前記移動局は、前記報知情報の少なくとも一部の受信に失敗した場合で、かつ、前記ハンドオーバ情報からの前記所定情報の取得に失敗した場合に、前記第２セルにおいて、予め決められている前記所定情報を用いて通信を継続することを特徴とする請求項８に記載の移動通信方法。
【発明の詳細な説明】
【技術分野】
【０００１】
本発明は、移動局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、通信中（ＲＲＣ_ＣＯＮＮＥＣＴＥＤ状態）の移動局ＵＥが、第１セルから第２セルにハンドオーバした場合に、第２セルにおいて、ＭＩＢ（Ｍａｓｔｅｒ  Ｉｎｆｏｒｍａｔｉｏｎ  Ｂｌｏｃｋ、主要情報ブロック）やＳＩＢ１（Ｓｙｓｔｅｍ  Ｉｎｆｏｒｍａｔｉｏｎ  Ｂｌｏｃｋ  １、第１システム情報ブロック）やＳＩＢ２（Ｓｙｓｔｅｍ  Ｉｎｆｏｒｍａｔｉｏｎ  Ｂｌｏｃｋ  ２、第２システム情報ブロック）等を含む報知情報を送信し、かかるＭＩＢやＳＩＢ１やＳＩＢ２に含まれる所定情報等を用いて通信を継続するように構成されている。
【発明の概要】
【発明が解決しようとする課題】
【０００３】
しかしながら、現在のＬＴＥ方式の移動通信システムでは、通信中の移動局ＵＥが、ハンドオーバ先セルである第２セルにおいて、報知情報の受信に失敗した場合に、どのように動作すべきか規定されておらず、通信を継続することができなくなるという問題点があった。【０００４】
そこで、本発明は、上述の課題に鑑みてなされたものであり、第１セルから第２セルにハンドオーバした場合に、第２セルにおいて、報知情報の受信に失敗した場合であっても通信を継続することができる移動局及び移動通信方法を提供することを目的とする。
【課題を解決するための手段】
【０００５】
本発明の第１の特徴は、各セルにおいて所定情報を用いて通信を行うように構成されている移動局であって、受信したハンドオーバ情報に応じて第１セルから第２セルにハンドオーバした後に、該第２セルにおける報知情報を受信するように構成されている受信部と、前記第２セルにおいて、受信した前記報知情報に含まれる前記所定情報を用いて通信を継続するように構成されている制御部とを具備し、前記制御部は、前記受信部によって前記報知情報の少なくとも一部の受信に失敗した場合に、前記ハンドオーバ情報から前記所定情報を取得し、前記第２セルにおいて、取得した該所定情報を用いて通信を継続するように構成されていることを要旨とする。【０００６】
本発明の第２の特徴は、移動局が、各セルにおいて所定情報を用いて通信を行う移動通信方法であって、前記移動局が、受信したハンドオーバ情報に応じて第１セルから第２セルにハンドオーバした後に、該第２セルにおける報知情報を受信する工程と、前記移動局が、前記第２セルにおいて、受信した前記報知情報に含まれる前記所定情報を用いて通信を継続する工程と、前記移動局が、前記報知情報の少なくとも一部の受信に失敗した場合に、前記ハンドオーバ情報から前記所定情報を取得し、前記第２セルにおいて、取得した該所定情報を用いて通信を継続する工程とを有することを要旨とする。【０００７】
本発明の第３の特徴は、各セルにおいて所定情報を用いて通信を行うように構成されている移動局であって、受信したハンドオーバ情報に応じて第１セルから第２セルにハンドオーバした後に、該第２セルにおける報知情報を受信するように構成されている受信部と、前記第２セルにおいて、受信した前記報知情報に含まれる前記所定情報を用いて通信を継続するように構成されている制御部とを具備し、前記制御部は、前記受信部によって前記報知情報の少なくとも一部の受信に失敗した場合に、前記第２セルにおいて、前記第１セルにおいて使用していた前記所定情報を用いて通信を継続するように構成されていることを要旨徴とする。【０００８】
本発明の第４の特徴は、各セルにおいて所定情報を用いて通信を行うように構成されている移動局であって、受信したハンドオーバ情報に応じて第１セルから第２セルにハンドオーバした後に、該第２セルにおける報知情報を受信するように構成されている受信部と、前記第２セルにおいて、受信した前記報知情報に含まれる前記所定情報を用いて通信を継続するように構成されている制御部とを具備し、前記制御部は、前記受信部によって前記報知情報の少なくとも一部の受信に失敗した場合に、前記第２セルにおいて、予め決められている前記所定情報を用いて通信を継続するように構成されていることを要旨とする。【０００９】
本発明の第５の特徴は、移動局が、各セルにおいて所定情報を用いて通信を行う移動通信方法であって、前記移動局が、受信したハンドオーバ情報に応じて第１セルから第２セルにハンドオーバした後に、該第２セルにおける報知情報を受信する工程と、前記移動局が、前記第２セルにおいて、受信した前記報知情報に含まれる前記所定情報を用いて通信を継続する工程と、前記移動局が、前記報知情報の少なくとも一部の受信に失敗した場合に、前記ハンドオーバ情報から前記所定情報を取得し、前記第２セルにおいて、前記第１セルにおいて使用していた前記所定情報を用いて通信を継続する工程とを有することを要旨とする。【００１０】
本発明の第６の特徴は、移動局が、各セルにおいて所定情報を用いて通信を行う移動通信方法であって、前記移動局が、受信したハンドオーバ情報に応じて第１セルから第２セルにハンドオーバした後に、該第２セルにおける報知情報を受信する工程と、前記移動局が、前記第２セルにおいて、受信した前記報知情報に含まれる前記所定情報を用いて通信を継続する工程と、前記移動局が、前記報知情報の少なくとも一部の受信に失敗した場合に、前記ハンドオーバ情報から前記所定情報を取得し、前記第２セルにおいて、予め決められている前記所定情報を用いて通信を継続する工程とを有することを要旨とする。
【発明の効果】
【００１１】
以上説明したように、本発明によれば、第１セルから第２セルにハンドオーバした場合に、第２セルにおいて、報知情報の受信に失敗した場合であっても、通信を継続することができる移動局及び移動通信方法を提供することができる。
【図面の簡単な説明】
【００１２】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局の動作を示すフローチャートである。
【発明を実施するための形態】
【００１３】
（本発明の第１の実施形態に係る移動通信システムの構成）
図１乃至図３を参照して、本発明の第１の実施形態に係る移動通信システムの構成について説明する。
【００１４】
図１及び図２を参照して、本発明の第１の実施形態に係る移動通信システムの構成について説明する。
【００１５】
図１に示すように、例えば、本実施形態に係る移動通信システムは、ＬＴＥ方式の移動通信システムであって、セル１セル２とセル３とを具備するものとする。
【００１６】
以下、本実施形態では、移動局ＵＥが、セル１（第１セル）からセル２（第２セル）にハンドオーバする場合の例について説明する。
【００１７】
図２に示すように、移動局ＵＥは、送受信部１１と、制御部１２と、メモリ１３とを具備している。
【００１８】
送受信部１１は、各セルを管理する無線基地局ｅＮＢとの間で、無線リンクを介して通信を行うように構成されている。
【００１９】
具体的には、送受信部１１は、制御部１２からの指示に応じて、移動局ＵＥが在圏しているセルにおいて送信されている報知情報（例えば、ＭＩＢやＳＩＢ１やＳＩＢ２等）を受信するように構成されている。なお、かかる報知情報は、ＭＩＢやＳＩＢ１やＳＩＢ２等によって構成されている。
【００２０】
例えば、送受信部１１は、移動局ＵＥが、セル１からセル２にハンドオーバした後に、セル２における報知情報に含まれるＭＩＢを受信し、ＭＩＢに含まれる情報に基づいて報知情報に含まれるＳＩＢ１を受信し、ＳＩＢ１に含まれるスケジューリング情報に基づいて報知情報に含まれるＳＩＢ２を受信するように構成されている。
【００２１】
なお、送受信部１１は、上述の報知情報を最初に受信することができなかったときから、所定期間が経過する（所定タイマが満了する）までの間、かかる報知情報の受信を繰り返し試みるように構成されていてもよい。
【００２２】
また、送受信部１１は、上述の報知情報を最初に受信することができなかった場合、所定回数だけ、かかる報知情報の受信を繰り返し試みるように構成されていてもよい。
【００２３】
かかる報知情報には、移動局ＵＥが、ハンドオーバ先セル（本実施形態では、セル２）において通信を継続するために必要な所定情報が含まれている。
【００２４】
例えば、かかる所定情報には、セル２に係るネットワークＩＤ（例えば、ＰＬＭＮ（Ｐｕｂｌｉｃ  Ｌａｎｄ  Ｍｏｂｉｌｅ  Ｎｅｔｗｏｒｋ）-ＩＤ）や位置登録エリアＩＤ（例えば、ＴＡ（Ｔｒａｃｋｉｎｇ  Ａｒｅａ）-ＩＤ）やセルＩＤが含まれていてもよい。
【００２５】
また、かかる所定情報には、セル２で用いられる各種タイマの設定値を示す情報（３ＧＰＰで規定されている「ｕｅ-ＴｉｍｅｒｓＡｎｄＣｏｎｓｔａｎｔｓ」）、例えば、タイマＴ３００の設定値やタイマＴ３０１の設定値やタイマＴ３１０の設定値やタイマＴ３１１の設定値等を示す情報が含まれていてもよい。
【００２６】
また、かかる所定情報には、緊急用ページング信号（例えば、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）用ページング信号）を受信するために必要な情報が含まれていてもよい。
【００２７】
さらに、かかる所定情報には、報知情報の受信周期（３ＧＰＰで規定されている「Ｍｏｄｉｆｉｃａｔｉｏｎ  Ｐｅｒｉｏｄ」）が含まれていてもよい。
【００２８】
制御部１２は、ハンドオーバ処理や再接続処理等を行うように構成されている。また、制御部１２は、送受信部１１によって受信された報知情報に対する受信処理を行うように構成されており、受信処理を施した後に当該報知情報をメモリ１３に記憶するように構成されている。
【００２９】
ここで、制御部１２は、無線基地局ｅＮＢから受信したハンドオーバコマンド（ハンドオーバ情報）に応じて、移動局ＵＥがセル１からセル２にハンドオーバするための処理を行うように構成されている。
【００３０】
また、制御部１２は、送受信部１１によって報知情報の受信に成功した場合に、セル２において、かかる報知情報に含まれる所定情報を用いて通信を継続するように構成されている。
【００３１】
なお、制御部１２は、送受信部１１によって報知情報の少なくとも一部の受信に失敗した場合に、ハンドオーバコマンドから所定情報を取得し、セル２において、取得した所定情報を用いて通信を継続するように構成されている。
【００３２】
ここで、「送受信部１１によって報知情報の少なくとも一部の受信に失敗した」とされるケースには、「送受信部１１が、ＭＩＢの受信に失敗したケース」や、「送受信部１１が、ＭＩＢの受信に成功した後、ＳＩＢ１の受信に失敗したケース」や、「送受信部１１が、ＭＩＢ及びＳＩＢ１の受信に成功した後、ＳＩＢ２の受信に失敗したケース」や、「送受信部１１が、ＭＩＢ及びＳＩＢ１の受信に成功した後、ＳＩＢ１に、ＳＩＢ２についてのスケジューリング情報が含まれていないケース」等が含まれる。
【００３３】
また、制御部１２は、所定期間内に送受信部１１によって報知情報の受信に成功しない場合に、送受信部１１によって報知情報の受信に失敗したと判定してもよい。
【００３４】
或いは、送受信部１１が、所定回数だけ報知情報の受信が試みたにも関らず、報知情報の受信に成功しない場合に、制御部１２は、送受信部１１によって報知情報の受信に失敗したと判定してもよい。
【００３５】
なお、セル２において、ＭＩＢやＳＩＢ１やＳＩＢ２が送信されていない場合も、制御部１２は、送受信部１１によって報知情報の受信に失敗したと判定してもよい。
【００３６】
また、制御部１２は、送受信部１１によって報知情報の少なくとも一部の受信に失敗した場合で、かつ、ハンドオーバコマンドからの所定情報の取得に失敗した場合に、セル２において、セル１において使用していた所定情報を用いて通信を継続するように構成されていてもよい。
【００３７】
さらに、制御部１２は、送受信部１１によって報知情報の少なくとも一部の受信に失敗した場合で、かつ、ハンドオーバコマンドからの所定情報の取得に失敗した場合に、セル２において、予め決められている所定情報（例えば、移動通信システム内の固定値や移動局毎の固定値等）を用いて通信を継続するように構成されていてもよい。
【００３８】
例えば、制御部１２は、かかる所定情報（３ＧＰＰで規定されている「Ｍｏｄｉｆｉｃａｔｉｏｎ  Ｐｅｒｉｏｄ」）に基づいて、送受信部１１による報知情報の受信周期を決定するように構成されていてもよい。
【００３９】
また、制御部１２は、所定情報に基づいて、送受信部１１に対して、緊急用ページング信号（例えば、ＥＴＷＳ用ページング信号）を受信させるように構成されていてもよい。
【００４０】
また、制御部１２は、所定情報（３ＧＰＰで規定されている「ｕｅ-ＴｉｍｅｒｓＡｎｄＣｏｎｓｔａｎｔｓ」）に基づいて、タイマの設定値を決定するように構成されていてもよい。
【００４１】
メモリ１３は、送受信部１１によって受信された報知情報等を保持するように構成されている。ここで、メモリ１１は、セル１（すなわち、ハンドオーバ元のセル）で用いられていた所定情報や、予め決められている所定情報（後述）を保持するように構成されていてもよい。
【００４２】
（本発明の第１の実施形態に係る移動通信システムの動作）
図３を参照して、本発明の第１の実施形態に係る移動通信システムの動作、具体的には、本発明の第１の実施形態に係る移動通信システムで用いられる移動局ＵＥの動作について説明する。
【００４３】
図３に示すように、ステップＳ１０１において、移動局ＵＥは、セル１からセル２にハンドオーバする。
【００４４】
ステップＳ１０２において、移動局ＵＥは、ＭＩＢやＳＩＢ１やＳＩＢ２等の報知情報に対する受信処理を行う。かかる受信処理に成功した場合、本動作は、ステップＳ１０５に進み、かかる受信処理に失敗した場合、本動作は、ステップＳ１０３に進む。
【００４５】
ステップＳ１０３において、移動局ＵＥは、ハンドオーバコマンドから、ステップＳ１０２において受信に失敗した所定情報の取得を試みる。かかる取得に成功した場合に、本動作は、ステップＳ１０５に進み、かかる取得に失敗した場合に、本動作は、ステップＳ１０４に進む。
【００４６】
ステップＳ１０４において、移動局ＵＥは、セル１において使用していた所定情報或いは予め決められている所定情報を用いて通信を継続する。
【００４７】
ステップＳ１０５において、移動局ＵＥは、セル２において、取得した所定情報等を用いて通信を継続する。
【００４８】
なお、上述の動作において、ステップＳ１０３が行われなくてもよい。
【００４９】
（本発明の第１の実施形態に係る移動通信システムの作用・効果）
本発明の第１の実施形態に係る移動通信システムによれば、移動局ＵＥは、ハンドオーバ先のセルにおいて、報知情報の受信に失敗した場合であっても、ハンドオーバコマンドに含まれている所定情報や、ハンドオーバ元のセルで用いられていた所定情報や、予め決められている所定情報を用いて通信を継続することができる。
【００５０】
以上に述べた本実施形態の特徴は、以下のように表現されていてもよい。
【００５１】
本実施形態の第１の特徴は、移動局ＵＥであって、各セル（例えば、セル１乃至３）において所定情報を用いて通信を行うように構成されている移動局ＵＥであって、受信したハンドオーバ情報（例えば、ハンドオーバコマンド）に応じてセル１（第１セル）からセル２（第２セル）にハンドオーバした後に、セル２における報知情報（例えば、ＭＩＢやＳＩＢ１やＳＩＢ２等）を受信するように構成されている送受信部１１と、セル２において、受信した報知情報に含まれる所定情報を用いて通信を継続するように構成されている制御部１２とを具備し、制御部１２は、送受信部１１によって報知情報の少なくとも一部の受信に失敗した場合に、ハンドオーバ情報から所定情報を取得し、セル２において、取得した所定情報を用いて通信を継続するように構成されていることを要旨とする。
【００５２】
本実施形態の第１の特徴において、制御部１２は、送受信部１１によって報知情報の少なくとも一部の受信に失敗した場合で、かつ、ハンドオーバ情報からの所定情報の取得に失敗した場合に、セル２において、セル１において使用していた所定情報を用いて通信を継続するように構成されていてもよい。
【００５３】
本実施形態の第１の特徴において、制御部１２は、送受信部１１によって報知情報の少なくとも一部の受信に失敗した場合で、かつ、ハンドオーバ情報からの所定情報の取得に失敗した場合に、セル２において、予め決められている所定情報を用いて通信を継続するように構成されていてもよい。
【００５４】
本実施形態の第１の特徴において、制御部１２は、所定情報に基づいて、送受信部１１による報知情報の受信周期を決定するように構成されていてもよい。
【００５５】
本実施形態の第１の特徴において、制御部１２は、所定情報に基づいて、送受信部１１に対して、緊急用ページング信号（例えば、ＥＴＷＳ用ページング信号）を受信させるように構成されていてもよい。
【００５６】
本実施形態の第１の特徴において、制御部１２は、所定情報に基づいて、タイマの設定値を決定するように構成されていてもよい。
【００５７】
本実施形態の第１の特徴において、所定情報は、セル２に係るネットワークＩＤ（例えば、ＰＬＭＮ-ＩＤ）と位置登録エリアＩＤ（例えば、ＴＡ-ＩＤ）とセルＩＤとを含むように構成されていてもよい。
【００５８】
本実施形態の第２の特徴は、移動局ＵＥが、各セルにおいて所定情報を用いて通信を行う移動通信方法であって、移動局ＵＥが、受信したハンドオーバ情報に応じてセル１からセル２にハンドオーバした後に、セル２における報知情報を受信する工程Ａと、移動局ＵＥが、セル２において、受信した報知情報に含まれる所定情報を用いて通信を継続する工程Ｂと、移動局ＵＥが、報知情報の少なくとも一部の受信に失敗した場合に、ハンドオーバ情報から所定情報を取得し、セル２において、取得した所定情報を用いて通信を継続する工程Ｃとを有することを要旨とする。
【００５９】
本実施形態の第２の特徴において、工程Ｃにおいて、移動局ＵＥは、報知情報の少なくとも一部の受信に失敗した場合で、かつ、ハンドオーバ情報からの所定情報の取得に失敗した場合に、セル２において、セル１において使用していた所定情報を用いて通信を継続してもよい。
【００６０】
本実施形態の第２の特徴において、工程Ｃにおいて、移動局ＵＥは、報知情報の少なくとも一部の受信に失敗した場合で、かつ、ハンドオーバ情報からの所定情報の取得に失敗した場合に、セル２において、予め決められている所定情報を用いて通信を継続してもよい。
【００６１】
本実施形態の第３の特徴は、移動局ＵＥであって、各セルにおいて所定情報を用いて通信を行うように構成されている移動局ＵＥであって、受信したハンドオーバ情報に応じてセル１からセル２にハンドオーバした後に、セル２における報知情報を受信するように構成されている送受信部１１と、セル２において、受信した報知情報に含まれる所定情報を用いて通信を継続するように構成されている制御部１２とを具備し、制御部１２は、送受信部１１によって報知情報の少なくとも一部の受信に失敗した場合に、ハンドオーバ情報から所定情報を取得し、セル２において、セル１において使用していた所定情報を用いて通信を継続するように構成されていることを要旨とする。
【００６２】
本実施形態の第４の特徴は、移動局ＵＥであって、各セルにおいて所定情報を用いて通信を行うように構成されている移動局ＵＥであって、受信したハンドオーバ情報に応じてセル１からセル２にハンドオーバした後に、セル２における報知情報を受信するように構成されている送受信部１１と、セル２において、受信した報知情報に含まれる所定情報を用いて通信を継続するように構成されている制御部１２とを具備し、制御部１２は、送受信部１１によって報知情報の少なくとも一部の受信に失敗した場合に、ハンドオーバ情報から所定情報を取得し、セル２において、予め決められている所定情報を用いて通信を継続するように構成されていることを要旨とする。
【００６３】
本実施形態の第５の特徴は、移動局ＵＥが、各セルにおいて所定情報を用いて通信を行う移動通信方法であって、移動局ＵＥが、受信したハンドオーバ情報に応じてセル１からセル２にハンドオーバした後に、セル２における報知情報を受信する工程と、移動局ＵＥが、セル２において、受信した報知情報に含まれる所定情報を用いて通信を継続する工程と、移動局ＵＥが、報知情報の少なくとも一部の受信に失敗した場合に、ハンドオーバ情報から所定情報を取得し、セル２において、セル１において使用していた所定情報を用いて通信を継続する工程とを有することを要旨とする。
【００６４】
本実施形態の第６の特徴は、移動局ＵＥが、各セルにおいて所定情報を用いて通信を行う移動通信方法であって、移動局ＵＥが、受信したハンドオーバ情報に応じてセル１からセル２にハンドオーバした後に、セル２における報知情報を受信する工程と、移動局ＵＥが、セル２において、受信した報知情報に含まれる所定情報を用いて通信を継続する工程と、移動局ＵＥが、報知情報の少なくとも一部の受信に失敗した場合に、ハンドオーバ情報から所定情報を取得し、セル２において、予め決められている所定情報を用いて通信を継続する工程とを有することを要旨とする。
【００６５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005458018.tif 000002
【図２】
0005458018.tif 000003
【図３】
0005458018.tif 000004